(57)【要約】【課題】  構成が単純で、弦のこじ角のばらつきを抑制でき、それにより、良好な音質を確保できるとともに、調律の容易化および安定化を図ることができるピアノの張弦装置を提供する。【解決手段】  弦Ｓを張設するためのピアノの張弦装置であって、フレーム５１と、フレーム５１に設けられ、弦Ｓが巻き付けられるとともに、弦Ｓの張力を調整するためのチューニングピン２と、フレーム５１の表面のチューニングピン２付近に取り付けられ、張設された弦Ｓに係合し、弦Ｓを押圧する弦枕５４と、フレーム５１と弦枕５４の間に介在する弾性材５６と、を備える。【選択図】  図１
2010085679.tif 000002
【特許請求の範囲】
【請求項１】
弦を張設するためのピアノの張弦装置であって、
フレームと、
当該フレームに設けられ、前記弦が巻き付けられるとともに、当該弦の張力を調整するためのチューニングピンと、
前記フレームの表面の前記チューニングピン付近に取り付けられ、前記張設された弦に係合し、当該弦を押圧する弦枕と、
前記フレームと前記弦枕の間に介在する弾性材と、
を備えることを特徴とするピアノの張弦装置。
【請求項２】
前記フレームの表面には、前記チューニングピンの付近に凹部が形成されており、
前記弾性材は前記凹部に収容され、前記弦枕は、前記凹部に嵌め込まれるとともに、当該凹部から突出していることを特徴とする、請求項１に記載のピアノの張弦装置。
【請求項３】
前記弾性材は、厚さが互いに異なる複数種類の弾性材で構成されており、
当該複数種類の弾性材から選択された１つの弾性材が、前記凹部に収容されていることを特徴とする、請求項１または２に記載のピアノの張弦装置。
【発明の詳細な説明】
【技術分野】
【０００１】
本発明は、フレームに弦を張設するためのピアノの張弦装置に関する。
【背景技術】
【０００２】
図４および図５は、従来のグランドピアノの一般的な張弦装置を、その高音部について示している。フレーム１は、一体の鋳造品で構成されており、その上面の前端部側（同図の右端部）および後端部側には、多数のチューニングピン２およびヒッチピン３（各１つのみ図示）が、それぞれ左右方向に並んだ状態で設けられている。これらのチューニングピン２とヒッチピン３の間には、ピアノの各鍵（図示せず）に対応する多数の弦Ｓが張設されている。各弦Ｓは、チューニングピン２側から順に配置された弦枕４、カポ・ダストロ・バー５、長駒６および三角枕７によって、上下方向に押圧されている。
【０００３】
弦枕４およびカポ・ダストロ・バー５は、フレーム１と一体に鋳造されている。弦枕４は、半円状の断面を有し、上方に突出している。フレーム１の上面には、弦枕４のすぐ後ろ側に、雑音を防止するための弦枕フェルト８が載置されている。カポ・ダストロ・バー５は、フレーム１から下方に突出しており、下面の中央にベアリング５ａを有している。三角枕７は、フレーム１の上面のヒッチピン３付近に載置されており、弦Ｓの張力で上方から押さえつけられた状態で取り付けられている。また、長駒６は、その上面が、カポ・ダストロ・バー５のベアリング５ａの下端と三角枕７の上端とを結ぶ仮想線よりも上方に突出するように設けられている。
【０００４】
以上の構成から、弦Ｓは、弦枕４で上こじを与えられ（上方に押圧され）、カポ・ダストロ・バー５で下こじを与えられ（下方に押圧され）、長駒６に載せられ、その上面の前後の駒ピン６ａ、６ｂに係合するとともに、三角枕７で上こじを与えられた状態で、張設されている。そして、このように張設された弦Ｓを、対応する鍵の押鍵に伴い、カポ・ダストロ・バー５と長駒６の間において、ハンマー９で打弦することによって振動させ、この振動が長駒６を介して響板１０に伝達されることで、ピアノ音が発生する。
【０００５】
以上のように、カポ・ダストロ・バー５および長駒６の前側の駒ピン６ａによって、弦Ｓのうちの本来の発音部分であるスピーキングレングス（弦長）ＳＬが定められる。また、弦枕４およびカポ・ダストロ・バー５によって、弦Ｓのフォアストリングス長さＦＬが定められることで、フォアアリコートが構成される。さらに、長駒６の後ろ側の駒ピン６ｂおよび三角枕７によってバックストリングス長さＢＬが定められることで、バックアリコートが構成される。周知のように、これらのＦＬ値およびＢＬ値とＳＬ値との比は、それぞれ整数比になるように設定されており、それにより、本来の弦Ｓの発音部分との共振による倍音を発生しやすくすることによって、豊かな音色を得るようにしている。
【０００６】
また、このような張弦装置では一般に、カポ・ダストロ・バー５の後ろ側の弦Ｓの部分と前側の弦Ｓの部分がなす角度ＡＫを「こじ角」と定義し、このこじ角ＡＫが所定値になるように調整される。その理由は次のとおりである。
【０００７】
すなわち、こじ角ＡＫが小さすぎると、弦枕４による弦Ｓの押圧力が過小になることによって、フォアストリングス長さＦＬが不明確になり、音質に悪影響を及ぼすためである。逆に、こじ角ＡＫが大きすぎると、弦Ｓからの反力が過大になることによって、弦枕４の凹みなどの損傷や弦Ｓの断線が生じやすくなる。また、弦Ｓの押圧力の増大に伴って弦Ｓと弦枕４との間の摩擦力が増大することによって、調律の際、チューニングピン２で調整された弦Ｓの張力が、カポ・ダストロ・バー５側に遅れをもって（渋滞しながら）伝達される。その結果、調律作業が非常に行いにくくなるとともに、調律後にもピッチが変化するため、調律の安定性を得ることができない。
【０００８】
しかし、従来、このこじ角ＡＫの調整作業は、フレーム１の鋳造後、手作業により、弦枕４の上面を切削することによって行われているため、非常に煩雑である。
【０００９】
このような不具合を解消するようにしたピアノの張弦装置として、例えば特許文献１に開示されたものが知られている。この張弦装置は、弦枕に代わるものとして、弦を押圧する本体部と、この本体部をフレームに支持するための支持機構を備えている。この支持機構は、本体部に上下方向に進退自在にねじ込まれた調整ねじと、この調整ねじの下端部に設けられ、本体部をフレームの上面に支持する転動自在のボールを有している。この張弦装置では、調整ねじを回すことにより、本体部の高さを変更することによって、弦の高さが変更され、こじ角が調整される。
【００１０】
しかし、この張弦装置は、本体部と、調整ねじやボールを有する支持機構とが必要であり、構成が非常に複雑であるとともに、弦ごとに設けなければならないため、製造コストが高い。また、こじ角を調整するために、弦ごとに調整ねじを回すという操作が必要であり、この調整作業が容易ではない。
【００１１】
本発明は、このような課題を解決するためになされたものであり、構成が単純で、弦のこじ角のばらつきを抑制でき、それにより、良好な音質を確保できるとともに、調律の容易化および安定化を図ることができるピアノの張弦装置を提供することを目的とする。
【００１２】
【特許文献１】特開２００３−１２２３４２号公報
【発明の開示】
【課題を解決するための手段】
【００１３】
上記の目的を達成するため、本願の請求項１に係る発明は、弦を張設するためのピアノの張弦装置であって、フレームと、フレームに設けられ、弦が巻き付けられるとともに、弦の張力を調整するためのチューニングピンと、フレームの表面のチューニングピン付近に取り付けられ、張設された弦に係合し、弦を押圧する弦枕と、フレームと弦枕の間に介在する弾性材と、を備えることを特徴とする。
【００１４】
このピアノの張弦装置によれば、フレームの表面のチューニングピン付近に、フレームとは別個に構成された弦枕が取り付けられている。この弦枕は、チューニングピンに巻き付けられ、張設された弦に係合し、弦を押圧する。また、フレームと弦枕の間には弾性材が介在している。このため、フレームの製造誤差などにより、フレームにおける弦枕の取付け部位の高さが所定高さに対してずれている場合でも、弾性材が、弦からの反力の大きさに応じた圧縮量で圧縮されることによって、フレームに対する弦枕の高さが自動的に調整され、そのばらつきが抑制される。例えば、弦枕の取付け部位の高さが所定高さを上回っていて、そのずれが大きい場合には、弦からの反力が大きいことで、弾性材の圧縮量が大きくなるのに対し、上記のずれが小さい場合には、弦の反力がより小さいことで、弾性材の圧縮量はより小さくなる。
【００１５】
以上のように、フレームとの間に介在する弾性材の自動調整機能によって、弦枕の高さのばらつきが抑制されるので、弦枕の高さに応じて定まる弦のこじ角のばらつきも抑制され、こじ角を適正な範囲内に保つことができる。その結果、過小なこじ角が生じないことにより、弦枕によって定まるフォアストリングス長さの明確さが保たれることによって、良好な音質を確保することができる。また、過大なこじ角が生じないことにより、弦から過大な押圧力が作用しないことで、弦枕の凹みなどの損傷や弦の断線が生じにくくなるとともに、弦枕と弦の間に過大な摩擦力が生じないことで、調律の際、チューニングピンで調整された弦の張力が、弦枕を越えて渋滞なく伝達されるので、調律の容易化および安定化を図ることができる。
【００１６】
請求項２に係る発明は、請求項１に記載のピアノの張弦装置において、フレームの表面には、チューニングピンの付近に凹部が形成されており、弾性材は凹部に収容され、弦枕は、凹部に嵌め込まれるとともに、凹部から突出していることを特徴とする。
【００１７】
この構成によれば、フレームに形成された凹部に弦枕が嵌め込まれているので、弦枕を、フレームへの取付けの際に、その所定位置に適正にかつ容易に位置決めできるとともに、取り付けた位置に安定して保持することができる。
【００１８】
また、請求項３に係る発明は、請求項１または２に記載のピアノの張弦装置において、弾性材は、厚さが互いに異なる複数種類の弾性材で構成されており、複数種類の弾性材から選択された１つの弾性材が、凹部に収容されていることを特徴とする。
【００１９】
この構成によれば、弾性材として、厚さが互いに異なる複数種類の弾性材が用意されており、これらの弾性材から適宜、選択された１つの弾性材が用いられる。例えば、１つの弾性材として、弦のこじ角のばらつきを修正するのに最も適した厚さを有する弾性材が選択される。これにより、弾性材にスペーサの機能をもたせながら、弦枕の高さをよりきめ細かく調整でき、それにより、こじ角のばらつきをさらに抑制することができる。
【発明を実施するための最良の形態】
【００２０】
以下、図面を参照しながら、本発明の好ましい実施形態を、詳細に説明する。図１は、本発明の第１実施形態によるグランドピアノの張弦装置を部分的に示している。この張弦装置の基本的な構成は、前述した通常の張弦装置と同じであるので、同一の構成要素については、同じ参照番号を付し、その詳細な説明を省略するとともに、異なる部分を中心として説明を行うものとする。
【００２１】
フレーム５１は、通常と同様、鋳造品で構成されている。フレーム５１の前端部の裏側には、左右方向（図１の奥行方向）に延びるピン板５２が固定されている。これらのフレーム５１およびピン板５２に、ピンブッシュ（図示せず）を介して、多数のチューニングピン２（同図には１本のみ図示）が、左右方向に並んで設けられている。また、フレーム５１の後端部には、多数のヒッチピン３（同図では省略）が、左右方向に並んだ状態で設けられており、これらのピン２、３に弦Ｓがそれぞれ巻き付けられ、張設されている。弦Ｓは、高音部においては、１つの鍵（図示せず）あたり３本ずつ設けられており（同図には１本のみ図示）、１組の弦Ｓを構成している。
【００２２】
各弦Ｓは、チューニングピン２側から順に配置された弦枕５４、カポ・ダストロ・バー５、長駒６および三角枕７（ともに図１では省略）によって、上下方向に押圧されている。弦枕５４以外の構成要素５、６および７は、前述した通常の張弦装置と同様に構成されており、カポ・ダストロ・バー５は、フレーム５１と一体に鋳造されるとともに、下方に突出するベアリング５ａを有している。
【００２３】
図１に示すように、弦枕５４は、フレーム５１と別個の部材として構成されており、フレーム５１の上面に形成された凹部５５に、弾性材５６とともに取り付けられている。この凹部５５は、フレーム５１のチューニングピン２の付近に、複数組（例えば７〜８組）の弦Ｓごとに形成された溝状のものであり、左右方向に延び、矩形の断面を有している。
【００２４】
弾性材５６は、所定の弾性係数を有する硬質のゴムなどで構成されている。図２に示すように、弾性材５６は、矩形の断面を有する棒状のものであり、凹部５５とほぼ同じ幅と長さを有している。また、弾性材５６として、互いに異なる所定の厚さを有する第１〜第３弾性材５６Ａ〜５６Ｃが用意されており、これらの中から選択された１つの弾性材５６が、凹部５５に嵌め込まれ、収容されている。
【００２５】
弦枕５４は、フレーム５１とは異なる材料で構成されている。例えば、弦Ｓとの間の摩擦力を軽減する上では、滑性を有する材料（例えばステンレス鋼）が好ましく、弦Ｓからの反力による弦枕５４の凹みなどの損傷を抑制する上では、フレーム５１よりも硬質の材料（例えば構造用炭素鋼鉄）が好ましい。図２に示すように、弦枕５４もまた、弾性材５６と同様、左右方向に延びる棒状のものであり、弾性材５６と同じ幅および長さと、所定の高さを有している。また、弦Ｓが接する弦枕５４の頂部には、Ｒが付けられている。
【００２６】
以上の構成の弦枕５４は、凹部５５に収容された弾性材５６に載せられ、凹部５５から上方に部分的に突出するとともに、弦Ｓに係合し、これを上方に押圧している。
【００２７】
また、フレーム５１の上面には、弦枕５４の前面に接した状態で、弦枕フェルト８が設けられている。この弦枕フェルト８は、弦Ｓによって押圧されており、弦Ｓの振動に起因する雑音を防止する役割を果たす。
【００２８】
以上のように、本実施形態の張弦装置によれば、弦枕５４は、フレーム５１と別個の部材として構成され、フレーム５１に取り付けられており、両者５４、５１の間に弾性材５６が介在している。このため、フレーム５１の製造誤差などにより、フレーム５１における弦枕５６の取付け部位の高さがずれている場合でも、弾性材５６が、弦Ｓからの反力の大きさに応じた圧縮量で圧縮されることによって、フレーム５１に対する弦枕５４の高さが自動的に調整される。これにより、弦枕５４の高さのばらつきが抑制され、弦枕５４の高さに応じて定まる弦Ｓのこじ角ＡＫのばらつきも抑制されるので、こじ角ＡＫを適正な範囲内に保つことができる。
【００２９】
その結果、過小なこじ角ＡＫが生じないことにより、弦枕５４によって定まるフォアストリングス長さＦＬの明確さが保たれることによって、良好な音質を確保することができる。また、過大なこじ角ＡＫが生じないことにより、弦Ｓから過大な反力が作用しないことで、弦枕５４の凹みなどの損傷や弦Ｓの断線が生じにくくなるとともに、弦枕５４と弦Ｓの間に過大な摩擦力が生じないことで、調律の際、チューニングピン２で調整された弦Ｓの張力が、弦枕５４を越えてカポ・ダストロ・バー５側に渋滞なく伝達されるので、調律の容易化および安定化を図ることができる。
【００３０】
また、フレーム５１に形成された凹部５５に弦枕５４が嵌め込まれているので、弦枕５４を、フレーム５１への取付けの際に、その所定位置に適正にかつ容易に位置決めできるとともに、取り付けた位置に安定して保持することができる。
【００３１】
さらに、弾性材５６として、厚さが互いに異なる第１〜第３弾性材５６Ａ〜５６Ｃが用意されており、これらの中から、弦Ｓのこじ角ＡＫのばらつきを修正するのに最も適した厚さを有する弾性材５６が選択され、用いられる。これにより、弾性材５６にスペーサの機能をもたせながら、弦枕５４の高さをよりきめ細かく調整でき、こじ角ＡＫのばらつきをさらに抑制することができる。
【００３２】
図３は、本発明の第２実施形態にグランドピアノの張弦装置を示している。この張弦装置は、上述した第１実施形態の張弦装置１と比較し、弦枕の構成が異なる。フレーム７１の上面に形成された凹部７５は、前後方向に延びており、図示しないが、矩形の平面形状を有している。
【００３３】
弾性材７６は、第１実施形態の弾性材５６と同様、硬質のゴムなどで構成されており、凹部７５とほぼ同じ形状およびサイズを有する矩形のシート状のものであり、凹部７５の底面に敷かれている。また、図示しないが、弾性材７６は、互いに異なる所定の厚さを有する複数種類のの弾性材で構成されており、これらの中から１つの弾性材７６が適宜、選択され、用いられる。
【００３４】
弦枕７４は、前述した第１実施形態と同様の材料で構成されており、弾性材７６と同じ形状およびサイズを有する矩形のベース部７４ａと、ベース部７４ａの後端部から上方に突出する係合部７４ｂを一体に有している。弦枕７４は、凹部７５内の弾性材７６に載せられ、ベース部７４ａの上面が凹部７５の上縁とほぼ面一になっている。また、係合部７４ｂは、凹部７５から上方に突出しており、弦Ｓに係合し、これを上方に押圧している。さらに、ベース部７４ａには、弦枕フェルト８が載せられており、係合部７４ｂの前面に接している。他の構成は、第１実施形態と同じである。
【００３５】
以上の構成によれば、弾性材７６が、弦Ｓからの反力の大きさに応じた圧縮量で圧縮され、フレーム７１に対する弦枕７４の係合部７４ｂの高さを自動的に調整し、そのばらつきを抑制するので、弦Ｓのこじ角ＡＫのばらつきを抑制でき、こじ角ＡＫを適正な範囲内に保つことができる。したがって、前述した第１実施形態による効果をまったく同様に得ることができる。
【００３６】
また、本実施形態では特に、弦枕７４のベース部７４ａに弦枕フェルト８が載せられ、一体に設けられているので、弦枕７４の高さと弦枕フェルト８の高さとの関係が常に一定に保たれることによって、弦枕７４の高さにかかわらず、弦枕フェルト８の雑音防止機能を確実に発揮させることができる。
【００３７】
なお、本発明は、説明した実施形態に限定されることなく、種々の態様で実施することができる。例えば、実施形態では、弾性材５６、７６として硬質のゴムを用いているが、他の適当な弾性材、例えばばねを用いてもよく、特に板ばねを組み合わせたものを用いることが可能である。
【００３８】
また、実施形態では、弦枕５４、７４の高さをきめ細かく調整するために、厚さが互いに異なる複数種類の弾性材を用意し、選択的に用いるように構成しているが、弾性係数が互いに異なる複数種類の弾性材、あるいは厚さおよび弾性係数の両方が互いに異なる複数種類の弾性材を用意し、選択的に用いてもよい。さらに、実施形態は、本発明をグランドピアノに適用した例であるが、本発明をアップライトピアノに適用してもよいことはもちろんである。その他、本発明の趣旨の範囲内で、細部の構成を適宜、変更することが可能である。
【図面の簡単な説明】
【００３９】
【図１】本発明の第１実施形態によるグランドピアノの張弦装置を示す部分拡大側断面図である。
【図２】弾性材および弦枕を示す斜視図である。
【図３】本発明の第２実施形態によるグランドピアノの張弦装置を示す部分拡大側断面図である。
【図４】グランドピアノの一般的な張弦装置を示す側断面図である。
【図５】図４の部分拡大側断面図である。
【符号の説明】
【００４０】
２  チューニングピン
５１  フレーム
５４  弦枕
５５  凹部
５６  弾性材
５６Ａ  第１弾性材（複数種類の弾性材）
５６Ｂ  第２弾性材（複数種類の弾性材）
５６Ｃ  第３弾性材（複数種類の弾性材）
７１  フレーム
７４  弦枕
７４ｂ  係合部
７５  凹部
７６  弾性材
Ｓ  弦
【図１】
2010085679.tif 000003
【図２】
2010085679.tif 000004
【図３】
2010085679.tif 000005
【図４】
2010085679.tif 000006
【図５】
2010085679.tif 000007